(57)【要約】【課題】光ファイバ心線に通信障害となるような損傷や光学的な影響を与えることなく、かつケーブルスロットロッドを収納するスペースが無い分岐接続箱であっても光ファイバケーブルの分岐接続を行うことを可能とする。【解決手段】光ファイバケーブル分岐用カバー１は、カバー下部２Ｂとカバー下部２Ｂを覆うようにカバー下部２Ｂに装着されるカバー上部とからなり、カバー下部２Ｂまたはカバー上部は、光ファイバケーブル３の被覆除去部を覆うケーブルカバー部７Ａと、光ファイバケーブル３から分岐する光ファイバ心線を分岐接続箱４側に案内するガイド部７Ｂと、分岐接続するに要する光ファイバ心線余長を確保する為にケーブルスロットロッドを切断せずにケーブル被覆を除去した部分の両端のケーブル被覆除去際を固定する一対のケーブル把持部６と、前記分岐接続箱に固定される分岐カバー固定部９とを有する。【選択図】　　　図２
2004061540.tif 000002
【特許請求の範囲】
【請求項１】
ビル構内の光ファイバ配線設備を構築する際に、光ファイバ心線を収容する溝を有するケーブルスロットロッドとそれを覆うケーブル被覆を有する光ファイバケーブルを分岐させ他の分岐用光ファイバケーブルと接続する光ファイバケーブルの配線方法であって、
光ファイバケーブルの被覆除去部及び光ファイバ心線の分岐部を外部に露出しないように覆うカバー上部とカバー下部とからなる光ファイバケーブル分岐用カバーをビル構内に取り付けられ前記光ファイバケーブルの光ファイバ心線と分岐用光ファイバケーブルの光ファイバ心線との接続部分を収容する分岐接続箱に固定し、
前記光ファイバケーブルの任意の長手方向中間部において、分岐接続するに要する光ファイバ心線余長を確保する為に前記ケーブルスロットロッドを切断せずにケーブル被覆を除去し、その除去した部分の両端のケーブル被覆除去際のケーブル被覆部上から側圧を加えて当該光ファイバケーブルを、前記光ファイバケーブル分岐用カバーのカバー上部またはカバー下部に取り付けられたケーブル把持部に固定すると共に、
前記光ファイバケーブル分岐用カバーを前記光ファイバケーブルにおけるケーブル被覆を除去した部分の任意の光ファイバ心線を取り出して該光ファイバ心線と分岐用光ファイバケーブルの光ファイバ心線とを前記分岐接続箱内で接続し、前記光ファイバケーブル分岐用カバーの前記カバー上部をカバー下部に装着させたことを特徴とする光ファイバケーブルの配線方法。
【請求項２】
ビル構内の光ファイバ配線設備を構築する際に、光ファイバ心線を収容する溝を有するケーブルスロットロッドとそれを覆うケーブル被覆を有する光ファイバケーブルを分岐させ他の分岐用光ファイバケーブルと接続する際に、ビル構内に取り付けられ前記光ファイバケーブルの光ファイバ心線と分岐用光ファイバケーブルの光ファイバ心線との接続部分を収容する分岐接続箱に固定して使用される光ファイバケーブル分岐用カバーであって、
該光ファイバケーブル分岐用カバーは、光ファイバケーブルの被覆除去部及び光ファイバ心線の分岐部を外部に露出しないように覆うカバー下部と該カバー下部を覆うように該カバー下部に装着されるカバー上部とからなり、
前記カバー下部またはカバー上部は、
光ファイバケーブルの被覆除去部を覆うケーブルカバー部と、
前記光ファイバケーブルから分岐する光ファイバ心線を前記分岐接続箱側に案内するガイド部と、
前記光ファイバケーブルの任意の長手方向中間部において、分岐接続するに要する光ファイバ心線余長を確保する為に前記ケーブルスロットロッドを切断せずにケーブル被覆を除去した部分の両端のケーブル被覆除去際を固定する前記ケーブルカバー部の両端部に形成された一対のケーブル把持部と、
前記分岐接続箱に固定される分岐カバー固定部と、
を有することを特徴とする光ファイバケーブル分岐用カバー。
【発明の詳細な説明】
【０００１】
【発明の属する技術分野】
本発明は、情報通信分野におけるビル構内光配線に用いる光ファイバケーブルの配線方法及び光ファイバケーブル分岐用カバーに関する。
【０００２】
【従来の技術】
従来、ビル構内の光配線において光ファイバケーブルの任意の長手方向中間部分で光ファイバ心線を分岐する際に、必要な光ファイバ心線の接続余長を確保する方法として以下の二つの方法を挙げることができる。
第１の方法は図３に示すように、幹線ケーブル（光ファイバケーブル）３において分岐接続に必要な光ファイバ心線余長を確保する為に、分岐接続に必要な光ファイバ心線余長分だけ当該光ファイバケーブル３内の光ファイバ心線以外の部分（ケーブル被覆、ケーブルスロットロッド）を除去する。
【０００３】
そして、この光ファイバケーブルにおける光ファイバ心線以外の部分を除去した部分の全ての光ファイバ心線を取り出し、上記光ファイバケーブルにおける光ファイバ心線以外の部分を除去していない両側の光ファイバケーブル際をケーブル把持具６により分岐接続箱４の中で固定する。そして、取り出した光ファイバ心線の中から分岐接続する光ファイバ心線１０を選択してこれを、分岐側の他方の光ファイバ心線１３と分岐接続箱４内に設けられた接続余長部収納部１１における光ファイバ接続部１２により接続し、その光ファイバ心線の接続余長部分と、光ファイバケーブルの被覆及びスロットロッドを除去した部分の全ての光ファイバ心線の余長部分を分岐接続箱４内に設けられた接続余長部収納部１１、１４の中にそれぞれ、収納するものである。
【０００４】
また、第２の方法は、図４に示すように、光ファイバ心線を収納する溝を備えたケーブルスロットロッド８を有する光ファイバケーブル（幹線ケーブル）３を分岐する位置で光ファイバケーブル３の被覆を必要な長さ分だけ除去し、分岐接続箱４の中で分岐接続する対象である片方の光ファイバケーブル３の被覆除去際を被覆の上から光ファイバケーブル３をケーブル把持具６により把持固定する。
【０００５】
そして、分岐接続箱４の函体外部にはみ出した光ファイバケーブル被覆除去部分を煙突状の保護部材１６で覆うことにより外力から保護し、その煙突状の保護部材１６の長手方向片端を分岐接続箱４に固定し、ケーブルスロットロッド８内に光ファイバ心線を収納した状態で分岐接続する光ファイバ心線１０を選択してこれを、分岐側の他方の光ファイバ心線１３と分岐接続箱４内に設けられた接続余長部収納部１１における光ファイバ接続部１２で接続し、その光ファイバ心線の接続余長を接続余長部収納部１１の中に収納するものである。
【０００６】
【発明が解決しようとする課題】
上述した第１の方法では、スロットロッドを有する光ファイバケーブルの場合、スロットロッドを切断する為、スロットロッドに収納されていた光ファイバ心線を全て取り出す必要があり、その取り出した光ファイバ心線の中に既に通信信号が伝播されサービスが提供されている光ファイバ心線がある場合は、取り出した光ファイバ心線部分を充分に保護することができない為、外力により光ファイバ心線の最小許容曲率半径を確保できずにべンディングロスが発生し、光信号の減衰による通信障害が発生する虞が有った。
【０００７】
また、第２の方法では、分岐接続箱中に光ファイバケーブルのスロットロッドを通す為のスペースが必要であり、そのスペースを確保できない分岐接続箱に対しては適用できないという問題が有った。
本発明は、このような事情に鑑みてなされたものであり、通信信号が伝播している光ファイバ心線に通信障害となるような損傷や光学的な影響を与えることなく、かつ光ファイバケーブルのケーブルスロットロッドを収納するスペースが無い分岐接続箱であっても光ファイバケーブルの分岐接続を行うことができる、光ファイバケーブルの配線方法及び光ファイバケーブル分岐用カバーを提供することを目的とする。
【０００８】
【課題を解決するための手段】
上記目的を達成するために請求項１に記載の発明は、ビル構内の光ファイバ配線設備を構築する際に、光ファイバ心線を収容する溝を有するケーブルスロットロッドとそれを覆うケーブル被覆を有する光ファイバケーブルを分岐させ他の分岐用光ファイバケーブルと接続する光ファイバケーブルの配線方法であって、光ファイバケーブルの被覆除去部及び光ファイバ心線の分岐部を外部に露出しないように覆うカバー上部とカバー下部とからなる光ファイバケーブル分岐用カバーをビル構内に取り付けられ前記光ファイバケーブルの光ファイバ心線と分岐用光ファイバケーブルの光ファイバ心線との接続部分を収容する分岐接続箱に固定し、前記光ファイバケーブルの任意の長手方向中間部において、分岐接続するに要する光ファイバ心線余長を確保する為に前記ケーブルスロットロッドを切断せずにケーブル被覆を除去し、その除去した部分の両端のケーブル被覆除去際のケーブル被覆部上から側圧を加えて当該光ファイバケーブルを、前記光ファイバケーブル分岐用カバーのカバー上部またはカバー下部に取り付けられたケーブル把持部に固定すると共に、該固定された光ファイバケーブルにおけるケーブル被覆を除去した部分の任意の光ファイバ心線を取り出して該光ファイバ心線と分岐用光ファイバケーブルの光ファイバ心線とを前記分岐接続箱内で接続し、前記光ファイバケーブル分岐用カバーの前記カバー上部をカバー下部に装着させたことを特徴とする。
【０００９】
また、請求項２に記載の発明は、ビル構内の光ファイバ配線設備を構築する際に、光ファイバ心線を収容する溝を有するケーブルスロットロッドとそれを覆うケーブル被覆を有する光ファイバケーブルを分岐させ他の分岐用光ファイバケーブルと接続する際に、ビル構内に取り付けられ前記光ファイバケーブルの光ファイバ心線と分岐用光ファイバケーブルの光ファイバ心線との接続部分を収容する分岐接続箱に固定して使用される光ファイバケーブル分岐用カバーであって、該光ファイバケーブル分岐用カバーは、光ファイバケーブルの被覆除去部及び光ファイバ心線の分岐部を外部に露出しないように覆うカバー下部と該カバー下部を覆うように該カバー下部に装着されるカバー上部とからなり、前記カバー下部またはカバー上部は、光ファイバケーブルの被覆除去部を覆うケーブルカバー部と、前記光ファイバケーブルから分岐する光ファイバ心線を前記分岐接続箱側に案内するガイド部と、前記光ファイバケーブルの任意の長手方向中間部において、分岐接続するに要する光ファイバ心線余長を確保する為に前記ケーブルスロットロッドを切断せずにケーブル被覆を除去した部分の両端のケーブル被覆除去際を固定する前記ケーブルカバー部の両端部に形成された一対のケーブル把持部と、前記分岐接続箱に固定される分岐カバー固定部とを有することを特徴とする。
【００１０】
【発明の実施の形態】
以下、本発明の実施形態を、図面を参照して詳細に説明する。本発明の実施形態に係る光ファイバケーブル分岐用カバーの構造を図１及び図２に示す。図１は光ファイバケーブル分岐用カバーを分岐接続箱に固定した状態を示す外観図であり、図２はその内部構造を示している。
【００１１】
本実施形態に係る光ファイバケーブル分岐用カバー１は、ビル構内の任意のフロアで光ファイバ心線を配線する必要が生じた際、布設された光ファイバケーブルから任意の光ファイバ心線を分岐する場合に、分岐接続箱と併用して使用する。すなわち、図１に示すように、ビル構内の光ファイバ配線設備を構築する際に、光ファイバ心線を収容する溝を有するケーブルスロットロッドとそれを覆うケーブル被覆を有する光ファイバケーブル（幹線ケーブル）３を分岐させ他の分岐用光ファイバケーブル５と接続する際に、ビル構内に取り付けられ前記光ファイバケーブル３の光ファイバ心線と分岐用光ファイバケーブル５の光ファイバ心線との接続部分を収容する分岐接続箱４に固定して使用されるものである。
【００１２】
光ファイバケーブル分岐用カバー１は、光ファイバケーブル３の被覆除去部及び光ファイバ心線の分岐部を外部に露出しないように覆うカバー下部２Ｂと該カバー下部２Ｂを覆うように該カバー下部２Ｂに装着されるカバー上部２Ａとからなる。
【００１３】
また、カバー下部２Ｂは、カバーベース板７を有し、該カバーベース板７は、光ファイバケーブル３の被覆除去部を覆い、光ファイバケーブルの被覆を除去した部分の光ファイバ心線を外的損傷から保護するケーブルカバー部７Ａと、光ファイバケーブル３から分岐する光ファイバ心線１０を分岐接続箱４側に案内するガイド部７Ｂと、光ファイバケーブル３の任意の長手方向中間部において、分岐接続するに要する光ファイバ心線余長を確保する為にケーブルスロットロッドを切断せずにケーブル被覆を除去した部分の両端のケーブル被覆除去際を固定するケーブルカバー部７Ａの両端部に形成された一対のケーブル把持部６と、分岐接続箱（成端用分岐接続箱もしくは配線用分岐接続箱）４に固定されるガイド部７Ｂの端部に設けられた分岐カバー固定部９とを有する。
【００１４】
なお、一対のケーブル把持部６、分岐カバー固定部９はカバー上部２Ａに設けてもよい。また、ケーブルカバー部７Ａ及びガイド部７Ｂはカバー上部２Ａとカバー上部２Ｂの両方に設けられている。
本実施形態で使用される光ファイバケーブル３は、外層に被覆を有し内部に樹脂製スロットロッドの溝に収容された光ファイバ心線を複数実装しているものである。ケーブル把持部６は、それぞれ金属製の把持具をねじにより締め付けることにより光ファイバケーブル３の被覆上から、光ファイバケーブル３を把持固定すること可能である。
【００１５】
カバー上部２Ａ及びカバー下部２Ｂは、内部に光ファイバ心線同士の接続に必要な光ファイバ心線の余長を確保する為に必要な長さの光ファイバケーブル３を収納可能な空間とケーブル把持部６を収納する空間を有し、着脱構造によりカバー部２Ａを取り外して内部の光ファイバケーブル３およびケーブル把持部６の操作が可能である。
【００１６】
光ファイバケーブル分岐用カバー１を分岐接続箱４に固定する分岐カバー固定部９は充分な強度を有し、ねじで成端用分岐接続箱もしくは配線用分岐接続箱としての分岐接続箱４の本体フレーム部分に固定することができる。分岐する光ファイバ心線１０を分岐接続箱４側に案内するガイド部７Ｂは、ケーブル把持部６に固定された光ファイバケーブル３から分岐する光ファイバ心線１０を成端用分岐接続箱もしくは配線用分岐接続箱となる分岐接続箱４において光ファイバ心線の曲げに起因する光損失を与えることなく配線する為のスペースと光ファイバ心線が外部に飛び出さないようにする為のガイドを有している。
【００１７】
上記の光ファイバケーブル分岐用カバー１を使用して、ビル構内の光ファイバ配線設備を構築する際に、光ファイバ心線を収容する溝を有するケーブルスロットロッドとそれを覆うケーブル被覆を有する光ファイバケーブルを分岐させ他の分岐用光ファイバケーブルと接続する光ファイバケーブルの配線方法の具体的内容について以下に説明する。
【００１８】
図１及び図２において、光ファイバケーブル３の被覆除去部及び光ファイバ心線の分岐部を外部に露出しないように覆うカバー上部２Ａとカバー下部２Ｂとからなる光ファイバケーブル分岐用カバー１をビル構内に取り付けられ光ファイバケーブル３の光ファイバ心線１０と分岐用光ファイバケーブル５の光ファイバ心線１３との接続部分を収容する分岐心線接続余長収納部１１を有する分岐接続箱４にねじにより固定する。
【００１９】
次に、光ファイバケーブル３の任意の長手方向中間部において、分岐接続するに要する光ファイバ心線余長を確保する為にケーブルスロットロッドを切断せずにケーブル被覆を除去し、その除去した部分の両端のケーブル被覆除去際のケーブル被覆部上から側圧を加えて光ファイバケーブル３を、光ファイバケーブル分岐用カバー１のカバー下部２Ｂ（またはカバー上部２Ａ）に取り付けられた一対のケーブル把持部６におけるケーブル把持具を押し当てねじで締め上げることにより固定する。
【００２０】
この時、特願平１１−２２３４５３で示されるようにネジを締め付けてもケーブル把持具と分岐接続箱本体の間にはスロッドロッド径よりも大きな空間が確保されるため、把持されるケーブルには一定以上の側圧が加わらない。そのためケーブル被覆が破断して中の光ファイバ心線に影響が及ぶことはない。
次に、必要な任意の光ファイバ心線１０を光ファイバケーブル３のケーブルスロットロッド内から選択し取り出す。光ファイバ心線が収納されているケーブルスロットロッドの溝はケーブルの長手方向に対して弧を描いている為、ケーブル被覆を剥ぎ取った長さよりも長い光ファイバ心線１０を取り出すことが可能である。取り出した光ファイバ心線１０を接続の為に必要な長さ分を確保して切断する。
【００２１】
このようにして、光ファイバケーブル分岐用カバー１に固定された光ファイバケーブル３におけるケーブル被覆を除去した部分の任意の光ファイバ心線１０を取り出し、切断した光ファイバ心線を分岐接続箱内部に配線する為にガイド部分に光ファイバ心線を通して、分岐接続箱まで導き、該光ファイバ心線１０と分岐用光ファイバケーブル５の光ファイバ心線１３とを分岐接続箱４内に設けられた分岐心線接続余長収納部１１内の光ファイバ接続部１２で接続する。最後に、光ファイバケーブル分岐用カバー１のカバー上部２Ａをカバー下部２Ｂに装着させる。
【００２２】
なお、光ファイバケーブル３中の他の光ファイバ心線は、光ファイバケーブルのスロットロッド内に収納されたままの状態であり、外力が直接光ファイバ心線に及ばない為、伝播している光信号が存在しても通信影響を及ぼすレベルの光ファイバ心線の曲げが生じることに起因する光損失が発生することはない。
【００２３】
【発明の効果】
以上説明したように、本発明によって、ビル構内の光ファイバケーブルの通信信号が伝播している他の光ファイバ心線に通信障害となるような損傷や光学的な影響を与えることなく、光ファイバケーブルのスロッドロッドを収納するスペースが無い分岐接続箱においても、光ファイバ心線を分岐・接続・収納して配線することが可能となる。
【００２４】
また、本発明によって、ビル構内の光ファイバケーブルの通信信号が伝播している他の光ファイバ心線に通信障害となるような損傷や光学的な影響を与えずに光ファイバ心線を分岐・接続・収納して配線する場合であっても、分岐接続箱の内部に光ファイバケーブルのスロッドロッドを収納するスペースが必要なくなる為、分岐接続箱単体での容積を削減することが可能となる。
【図面の簡単な説明】
【図１】本発明の実施形態に係る光ファイバケーブル分岐用カバーを分岐接続箱に固定した状態を示す外観図。
【図２】図１に示した本発明の実施形態に係る光ファイバケーブル分岐用カバーの内部構造を示す構成図。
【図３】ケーブルスロットロッドを切断する従来の分岐接続箱の構造を示す説明図。
【図４】ケーブルスロットロッドを切断しない従来の分岐接続箱の構造を示す説明図。
【符号の説明】
１…光ファイバケーブル分岐用カバー
２Ａ…カバー上部
２Ｂ…カバー下部
３…光ファイバケーブル（幹線ケーブル）
４…分岐接続箱
５…分岐用光ファイバケーブル
６…ケーブル把持部
７…カバーベース板
７Ａ…ケーブルカバー部
７Ｂ…ガイド部
８…ケーブルスロットロッド
９…分岐カバー固定部
【図１】
2004061540.tif 000003
【図２】
2004061540.tif 000004
【図３】
2004061540.tif 000005
【図４】
2004061540.tif 000006